【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
印刷可能なユーザのユーザ識別情報と対応付く印刷データを一意に示す印刷データ情報を管理する印刷制御サーバと、前記印刷データの印刷を行う印刷装置とがネットワークを介して通信可能な印刷制御システムであって、
前記印刷制御サーバは、
前記印刷装置からユーザ識別情報を受信するユーザ識別情報受信手段と、
前記ユーザ識別情報受信手段で受信した前記ユーザ識別情報に対応する印刷データの印刷データ情報の一覧情報を前記印刷装置に送信する一覧情報送信手段と、
前記印刷装置から、当該印刷装置で新たに追加された前記一覧情報にない追加印刷データ情報を含む印刷要求を受信する印刷要求受信手段と、
前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、
前記印刷データ特定手段で特定された印刷データと前記追加印刷データ情報とを対応付ける対応付手段と、
前記印刷データ特定手段で特定した印刷データを前記追加された追加印刷データ情報の印刷データとして前記印刷装置に出力すべく指示する印刷データ出力指示手段と
を備え、
前記印刷装置は、
入力されたユーザ識別情報を前記印刷制御サーバに送信するユーザ識別情報送信手段と、
前記印刷制御サーバから受信した印刷データ情報を含む一覧情報を表示する一覧情報表示手段と、
前記一覧情報に含まれない印刷データを追加印刷するための追加印刷データ情報を追加する追加印刷データ情報追加手段と、
前記追加印刷データ情報追加手段で追加した前記追加印刷データ情報を含む印刷要求を前記印刷制御サーバに送信する印刷要求送信手段と
を備えることを特徴とする印刷制御システム。
【請求項２】
前記一覧情報表示手段は、前記追加印刷データ情報追加手段で追加した追加印刷データ情報を追加表示することを特徴とする請求項１に記載の印刷制御システム。
【請求項３】
前記印刷制御サーバは、
前記対応付手段で対応付けられた印刷データの印刷データ情報を前記印刷装置に前記追加印刷データ情報とともに送信する印刷データ情報送信手段を更に備え、
前記印刷装置は、
前記印刷制御サーバから受信した印刷データ情報を前記追加印刷データ情報に従って、前記追加表示された追加印刷データ情報の表示を変更する追加印刷データ情報表示変更手段を更に備えることを特徴とする請求項２に記載の印刷制御システム。
【請求項４】
前記印刷制御サーバは、
前記一覧情報を作成する一覧情報作成手段を更に備え、
前記印刷データ特定手段で特定される印刷データは、前記一覧情報が作成された後に記憶された印刷データであることを特徴とする請求項１乃至請求項３のいずれか１項に記載の印刷制御システム。
【請求項５】
前記印刷データ出力指示手段は、前記追加印刷データ情報に対応付けられた印刷データの受信完了後に、前記印刷要求のあった印刷装置に出力することを特徴とする請求項１乃至請求項４のいずれか１項に記載の印刷制御システム。
【請求項６】
前記対応付手段は、前記一覧情報の作成日時と前記印刷データの受信日時とに従って対応付けることを特徴とする請求項１乃至請求項５のいずれか１項に記載の印刷制御システム。
【請求項７】
前記印刷制御サーバは、
前記追加された追加印刷データ情報に対応付けられた印刷データの受信が所定時間内に完了しない場合には、前記追加された追加印刷データ情報に関する出力を中止する中止手段を更に備えることを特徴とする請求項１乃至請求項６のいずれか１項に記載の印刷制御システム。
【請求項８】
前記印刷装置は、
前記一覧情報から印刷する印刷データ情報を選択する印刷データ選択手段を更に備え、
前記印刷要求は、前記印刷データ選択手段で選択した印刷データ情報を含むことを特徴とする請求項１乃至請求項７のいずれか１項に記載の印刷制御システム。
【請求項９】
印刷データの印刷を行う印刷装置とネットワークを介して通信可能であり、印刷可能なユーザのユーザ識別情報と対応付く印刷データを一意に示す印刷データ情報を管理する印刷制御サーバであって、
前記印刷装置からユーザ識別情報を受信するユーザ識別情報受信手段と、
前記ユーザ識別情報受信手段で受信した前記ユーザ識別情報に対応する印刷データの印刷データ情報の一覧情報を前記印刷装置に送信する一覧情報送信手段と、
前記印刷装置から、当該印刷装置で新たに追加された前記一覧情報にない追加印刷データ情報を含む印刷要求を受信する印刷要求受信手段と、
前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、
前記印刷データ特定手段で特定された印刷データと前記追加印刷データ情報とを対応付ける対応付手段と、
前記印刷データ特定手段で特定した印刷データを前記追加された追加印刷データ情報の印刷データとして前記印刷装置に出力すべく指示する印刷データ出力手段と
を備えることを特徴とする印刷制御サーバ。
【請求項１０】
印刷可能なユーザのユーザ識別情報と対応付く印刷データを一意に示す印刷データ情報を管理する印刷制御サーバとネットワークを介して通信可能な印刷装置であって、
入力されたユーザ識別情報を前記印刷制御サーバに送信するユーザ識別情報送信手段と、
前記印刷制御サーバから受信した印刷データ情報を含む一覧情報を表示する一覧情報表示手段と、
前記一覧情報に含まれない印刷データを追加印刷するための追加印刷データ情報を追加する追加印刷データ情報追加手段と、
前記追加印刷データ情報追加手段で追加した前記追加印刷データ情報を含む印刷要求を前記印刷制御サーバに送信する印刷要求送信手段と
を備えることを特徴とする印刷装置。
【請求項１１】
印刷可能なユーザのユーザ識別情報と対応付く印刷データを一意に示す印刷データ情報を管理する印刷制御サーバと、前記印刷データの印刷を行う印刷装置とがネットワークを介して通信可能な印刷制御システムにおける印刷制御方法であって、
前記印刷制御サーバが、
前記印刷装置からユーザ識別情報を受信するユーザ識別情報受信ステップと、
前記ユーザ識別情報受信ステップで受信した前記ユーザ識別情報に対応する印刷データの印刷データ情報の一覧情報を前記印刷装置に送信する一覧情報送信ステップと、
前記印刷装置から、当該印刷装置で新たに追加された前記一覧情報にない追加印刷データ情報を含む印刷要求を受信する印刷要求受信ステップと、
前記印刷要求受信ステップで前記追加印刷データ情報が含まれた印刷要求が受信された場合に、前記一覧情報送信ステップにより一覧情報が送信された後に当該印刷制御サーバで管理された前記ユーザ識別情報に対応する印刷データの印刷データ情報を特定する印刷データ特定ステップと、
前記印刷データ特定ステップで特定された印刷データと前記追加印刷データ情報とを対応付ける対応付ステップと、
前記印刷データ特定ステップで特定した印刷データを前記追加された追加印刷データ情報の印刷データとして前記印刷装置に出力すべく指示する印刷データ出力指示ステップと
を実行し、
前記印刷装置が、
入力されたユーザ識別情報を前記印刷制御サーバに送信するユーザ識別情報送信ステップと、
前記印刷制御サーバから受信した印刷データ情報を含む一覧情報を表示する一覧情報表示ステップと、
前記一覧情報に含まれない印刷データを追加印刷するための追加印刷データ情報を追加する追加印刷データ情報追加ステップと、
前記追加印刷データ情報追加ステップで追加した前記追加印刷データ情報を含む印刷要求を前記印刷制御サーバに送信する印刷要求送信ステップと
を実行することを特徴とする印刷制御システムにおける印刷制御方法。
【請求項１２】
印刷データの印刷を行う印刷装置とネットワークを介して通信可能であり、印刷可能なユーザのユーザ識別情報と対応付く印刷データとを対応付けて印刷データ情報を管理する印刷制御サーバにおける印刷制御方法であって、
前記印刷制御サーバが、
前記印刷装置からユーザ識別情報を受信するユーザ識別情報受信ステップと、
前記ユーザ識別情報受信ステップで受信した前記ユーザ識別情報に対応する印刷データの印刷データ情報の一覧情報を前記印刷装置に送信する一覧情報送信ステップと、
前記印刷装置から、当該印刷装置で新たに追加された前記一覧情報にない追加印刷データ情報を含む印刷要求を受信する印刷要求受信ステップと、
前記印刷要求受信ステップで前記追加印刷データ情報が含まれた印刷要求が受信された場合に、前記一覧情報送信ステップにより一覧情報が送信された後に当該印刷制御サーバで管理された前記ユーザ識別情報に対応する印刷データの印刷データ情報を特定する印刷データ特定ステップと、
前記印刷データ特定ステップで特定された印刷データと前記追加印刷データ情報とを対応付ける対応付ステップと、
前記印刷データ特定ステップで特定した印刷データを前記追加された追加印刷データ情報の印刷データとして前記印刷装置に出力すべく指示する印刷データ出力ステップと
を実行することを特徴とする印刷制御サーバにおける印刷制御方法。
【請求項１３】
印刷可能なユーザのユーザ識別情報と対応付く印刷データを一意に示す印刷データ情報を管理する印刷制御サーバとネットワークを介して通信可能な印刷装置における印刷制御方法であって、
前記印刷装置が、
入力されたユーザ識別情報を前記印刷制御サーバに送信するユーザ識別情報送信ステップと、
前記印刷制御サーバから受信した印刷データ情報を含む一覧情報を表示する一覧情報ステップと、
前記一覧情報に含まれない印刷データを追加印刷するための追加印刷データ情報を追加する追加印刷データ情報追加ステップと、
前記追加印刷データ情報追加ステップで追加した前記追加印刷データ情報を含む印刷要求を前記印刷制御サーバに送信する印刷要求送信ステップと
を実行することを特徴とする印刷装置における印刷制御方法。
【請求項１４】
印刷可能なユーザのユーザ識別情報と対応付く印刷データを一意に示す印刷データ情報を管理する印刷制御サーバと、前記印刷データの印刷を行う印刷装置とがネットワークを介して通信可能な印刷制御システムで実行可能なプログラムであって、
前記印刷制御サーバを、
前記印刷装置からユーザ識別情報を受信するユーザ識別情報受信手段と、
前記ユーザ識別情報受信手段で受信した前記ユーザ識別情報に対応する印刷データの印刷データ情報の一覧情報を前記印刷装置に送信する一覧情報送信手段と、
前記印刷装置から、当該印刷装置で新たに追加された前記一覧情報にない追加印刷データ情報を含む印刷要求を受信する印刷要求受信手段と、
前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、
前記印刷データ特定手段で特定された印刷データと前記追加印刷データ情報とを対応付ける対応付手段と、
前記印刷データ特定手段で特定した印刷データを前記追加された追加印刷データ情報の印刷データとして前記印刷装置に出力すべく指示する印刷データ出力指示手段として機能させ、
前記印刷装置を、
入力されたユーザ識別情報を前記印刷制御サーバに送信するユーザ識別情報送信手段と、
前記印刷制御サーバから受信した印刷データ情報を含む一覧情報を表示する一覧情報表示手段と、
前記一覧情報に含まれない印刷データを追加印刷するための追加印刷データ情報を追加する追加印刷データ情報追加手段と、
前記追加印刷データ情報追加手段で追加した前記追加印刷データ情報を含む印刷要求を前記印刷制御サーバに送信する印刷要求送信手段
として機能させることを特徴とするプログラム。
【請求項１５】
印刷データの印刷を行う印刷装置とネットワークを介して通信可能であり、印刷可能なユーザのユーザ識別情報と対応付く印刷データを一意に示す印刷データ情報を管理する印刷制御サーバで実行可能なプログラムであって、
前記印刷制御サーバを
前記印刷装置からユーザ識別情報を受信するユーザ識別情報受信手段と、
前記ユーザ識別情報受信手段で受信した前記ユーザ識別情報に対応する印刷データの印刷データ情報の一覧情報を前記印刷装置に送信する一覧情報送信手段と、
前記印刷装置から、当該印刷装置で新たに追加された前記一覧情報にない追加印刷データ情報を含む印刷要求を受信する印刷要求受信手段と、
前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、
前記印刷データ特定手段で特定された印刷データと前記追加印刷データ情報とを対応付ける対応付手段と、
前記印刷データ特定手段で特定した印刷データを前記追加された追加印刷データ情報の印刷データとして前記印刷装置に出力すべく指示する印刷データ出力手段
として機能させることを特徴とするプログラム。
【請求項１６】
印刷可能なユーザのユーザ識別情報と対応付く印刷データを一意に示す印刷データ情報を管理する印刷制御サーバとネットワークを介して通信可能な印刷装置で実行可能なプログラムであって、
前記印刷装置を、
入力されたユーザ識別情報を前記印刷制御サーバに送信するユーザ識別情報送信手段と、
前記印刷制御サーバから受信した印刷データ情報を含む一覧情報を表示する一覧情報表示手段と、
前記一覧情報に含まれない印刷データを追加印刷するための追加印刷データ情報を追加する追加印刷データ情報追加手段と、
前記追加印刷データ情報追加手段で追加した前記追加印刷データ情報を含む印刷要求を前記印刷制御サーバに送信する印刷要求送信手段
として機能させることを特徴とするプログラム。
【手続補正２】
【補正対象書類名】明細書
【補正対象項目名】０００７
【補正方法】変更
【補正の内容】
【０００７】
本発明は、所望の印刷装置上において一覧表示されない印刷データについても印刷指示を可能とする印刷制御システムを提供することを目的とする。
【手続補正３】
【補正対象書類名】明細書
【補正対象項目名】０００８
【補正方法】変更
【補正の内容】
【０００８】
前述した目的を達成するために第１の発明は、印刷可能なユーザのユーザ識別情報と対応付く印刷データを一意に示す印刷データ情報を管理する印刷制御サーバと、前記印刷データの印刷を行う印刷装置とがネットワークを介して通信可能な印刷制御システムであって、前記印刷制御サーバは、前記印刷装置からユーザ識別情報を受信するユーザ識別情報受信手段と、前記ユーザ識別情報受信手段で受信した前記ユーザ識別情報に対応する印刷データの印刷データ情報の一覧情報を前記印刷装置に送信する一覧情報送信手段と、前記印刷装置から、当該印刷装置で新たに追加された前記一覧情報にない追加印刷データ情報を含む印刷要求を受信する印刷要求受信手段と、前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、前記印刷データ特定手段で特定された印刷データと前記追加印刷データ情報とを対応付ける対応付手段と、前記印刷データ特定手段で特定した印刷データを前記追加された追加印刷データ情報の印刷データとして前記印刷装置に出力すべく指示する印刷データ出力指示手段とを備え、前記印刷装置は、入力されたユーザ識別情報を前記印刷制御サーバに送信するユーザ識別情報送信手段と、前記印刷制御サーバから受信した印刷データ情報を含む一覧情報を表示する一覧情報表示手段と、前記一覧情報に含まれない印刷データを追加印刷するための追加印刷データ情報を追加する追加印刷データ情報追加手段と、前記追加印刷データ情報追加手段で追加した前記追加印刷データ情報を含む印刷要求を前記印刷制御サーバに送信する印刷要求送信手段とを備えることを特徴とする印刷制御システムである。
【手続補正４】
【補正対象書類名】明細書
【補正対象項目名】０００９
【補正方法】変更
【補正の内容】
【０００９】
また、前記一覧情報表示手段は、前記印刷データ情報追加手段で追加した追加印刷データ情報を追加表示することを特徴とする。
【手続補正５】
【補正対象書類名】明細書
【補正対象項目名】００１０
【補正方法】変更
【補正の内容】
【００１０】
また、前記印刷制御サーバは、前記対応付手段で対応付けられた印刷データの印刷データ情報を前記印刷装置に前記追加印刷データ情報とともに送信する印刷データ情報送信手段を更に備え、前記印刷装置は、前記印刷制御サーバから受信した印刷データ情報を前記追加印刷データ情報に従って、前記追加表示された追加印刷データ情報の表示を変更する追加印刷データ情報表示変更手段を更に備えることを特徴とする。
【手続補正６】
【補正対象書類名】明細書
【補正対象項目名】００１１
【補正方法】変更
【補正の内容】
【００１１】
また、前記印刷制御サーバは、前記一覧情報を作成する一覧情報作成手段を更に備え、前記印刷データ特定手段で特定される印刷データは、前記一覧情報が作成された後に記憶された印刷データであることを特徴とする。
【手続補正７】
【補正対象書類名】明細書
【補正対象項目名】００１２
【補正方法】変更
【補正の内容】
【００１２】
また、前記印刷データ出力指示手段は、前記追加印刷データ情報に対応付けられた印刷データの受信完了後に、前記印刷要求のあった印刷装置に出力することを特徴とする。
【手続補正８】
【補正対象書類名】明細書
【補正対象項目名】００１３
【補正方法】変更
【補正の内容】
【００１３】
また、前記対応付手段は、前記一覧情報の作成日時と前記印刷データの受信日時とに従って対応付けることを特徴とする。
【手続補正９】
【補正対象書類名】明細書
【補正対象項目名】００１４
【補正方法】変更
【補正の内容】
【００１４】
また、前記印刷制御サーバは、前記追加された追加印刷データ情報に対応付けられた印刷データの受信が所定時間内に完了しない場合には、前記追加された追加印刷データ情報に関する出力を中止する中止手段をさらに備えることを特徴とする。
また、前記印刷装置は、前記一覧情報から印刷する印刷データ情報を選択する印刷データ選択手段をさらに備え、前記印刷要求は、前記印刷データ選択手段で選択した印刷データ情報を含むことを特徴とする。
【手続補正１０】
【補正対象書類名】明細書
【補正対象項目名】００１５
【補正方法】変更
【補正の内容】
【００１５】
第２の発明は、印刷データの印刷を行う印刷装置とネットワークを介して通信可能であり、印刷可能なユーザのユーザ識別情報と対応付く印刷データを一意に示す印刷データ情報を管理する印刷制御サーバであって、前記印刷装置からユーザ識別情報を受信するユーザ識別情報受信手段と、前記ユーザ識別情報受信手段で受信した前記ユーザ識別情報に対応する印刷データの印刷データ情報の一覧情報を前記印刷装置に送信する一覧情報送信手段と、前記印刷装置から、当該印刷装置で新たに追加された前記一覧情報にない追加印刷データ情報を含む印刷要求を受信する印刷要求受信手段と、前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、前記印刷データ特定手段で特定された印刷データと前記追加印刷データ情報とを対応付ける対応付手段と、前記印刷データ特定手段で特定した印刷データを前記追加された追加印刷データ情報の印刷データとして前記印刷装置に出力すべく指示する印刷データ出力手段とを備えることを特徴とする印刷制御サーバである。
【手続補正１１】
【補正対象書類名】明細書
【補正対象項目名】００１６
【補正方法】変更
【補正の内容】
【００１６】
第３の発明は、印刷可能なユーザのユーザ識別情報と対応付く印刷データを一意に示す印刷データ情報を管理する印刷制御サーバとネットワークを介して通信可能な印刷装置であって、入力されたユーザ識別情報を前記印刷制御サーバに送信するユーザ識別情報送信手段と、前記印刷制御サーバから受信した印刷データ情報を含む一覧情報を表示する一覧情報表示手段と、前記一覧情報に含まれない印刷データを追加印刷するための追加印刷データ情報を追加する追加印刷データ情報追加手段と、前記追加印刷データ情報追加手段で追加した前記追加印刷データ情報を含む印刷要求を前記印刷制御サーバに送信する印刷要求送信手段とを備えることを特徴とする印刷装置である。
【手続補正１２】
【補正対象書類名】明細書
【補正対象項目名】００１７
【補正方法】変更
【補正の内容】
【００１７】
第４の発明は、印刷可能なユーザのユーザ識別情報と対応付く印刷データを一意に示す印刷データ情報を管理する印刷制御サーバと、前記印刷データの印刷を行う印刷装置とがネットワークを介して通信可能な印刷制御システムにおける印刷制御方法であって、前記印刷制御サーバが、前記印刷装置からユーザ識別情報を受信するユーザ識別情報受信ステップと、前記ユーザ識別情報受信ステップで受信した前記ユーザ識別情報に対応する印刷データの印刷データ情報の一覧情報を前記印刷装置に送信する一覧情報送信ステップと、前記印刷装置から、当該印刷装置で新たに追加された前記一覧情報にない追加印刷データ情報を含む印刷要求を受信する印刷要求受信ステップと、前記印刷要求受信ステップで前記追加印刷データ情報が含まれた印刷要求が受信された場合に、前記一覧情報送信ステップにより一覧情報が送信された後に当該印刷制御サーバで管理された前記ユーザ識別情報に対応する印刷データの印刷データ情報を特定する印刷データ特定ステップと、前記印刷データ特定ステップで特定された印刷データと前記追加印刷データ情報とを対応付ける対応付ステップと、前記印刷データ特定ステップで特定した印刷データを前記追加された追加印刷データ情報の印刷データとして前記印刷装置に出力すべく指示する印刷データ出力指示ステップとを実行し、前記印刷装置が、入力されたユーザ識別情報を前記印刷制御サーバに送信するユーザ識別情報送信ステップと、前記印刷制御サーバから受信した印刷データ情報を含む一覧情報を表示する一覧情報表示ステップと、前記一覧情報に含まれない印刷データを追加印刷するための追加印刷データ情報を追加する追加印刷データ情報追加ステップと、前記追加印刷データ情報追加ステップで追加した前記追加印刷データ情報を含む印刷要求を前記印刷制御サーバに送信する印刷要求送信ステップとを実行することを特徴とする印刷制御システムにおける印刷制御方法である。
【手続補正１３】
【補正対象書類名】明細書
【補正対象項目名】００１８
【補正方法】変更
【補正の内容】
【００１８】
第５の発明は、印刷データの印刷を行う印刷装置とネットワークを介して通信可能であり、印刷可能なユーザのユーザ識別情報と対応付く印刷データとを対応付けて印刷データ情報を管理する印刷制御サーバにおける印刷制御方法であって、前記印刷制御サーバが、前記印刷装置からユーザ識別情報を受信するユーザ識別情報受信ステップと、前記ユーザ識別情報受信ステップで受信した前記ユーザ識別情報に対応する印刷データの印刷データ情報の一覧情報を前記印刷装置に送信する一覧情報送信ステップと、前記印刷装置から、当該印刷装置で新たに追加された前記一覧情報にない追加印刷データ情報を含む印刷要求を受信する印刷要求受信ステップと、前記印刷要求受信ステップで前記追加印刷データ情報が含まれた印刷要求が受信された場合に、前記一覧情報送信ステップにより一覧情報が送信された後に当該印刷制御サーバで管理された前記ユーザ識別情報に対応する印刷データの印刷データ情報を特定する印刷データ特定ステップと、前記印刷データ特定ステップで特定された印刷データと前記追加印刷データ情報とを対応付ける対応付ステップと、前記印刷データ特定ステップで特定した印刷データを前記追加された追加印刷データ情報の印刷データとして前記印刷装置に出力すべく指示する印刷データ出力ステップとを実行することを特徴とする印刷制御サーバにおける印刷制御方法である。
【手続補正１４】
【補正対象書類名】明細書
【補正対象項目名】００１９
【補正方法】変更
【補正の内容】
【００１９】
第６の発明は、印刷可能なユーザのユーザ識別情報と対応付く印刷データを一意に示す印刷データ情報を管理する印刷制御サーバとネットワークを介して通信可能な印刷装置における印刷制御方法であって、前記印刷装置が、入力されたユーザ識別情報を前記印刷制御サーバに送信するユーザ識別情報送信ステップと、前記印刷制御サーバから受信した印刷データ情報を含む一覧情報を表示する一覧情報ステップと、前記一覧情報に含まれない印刷データを追加印刷するための追加印刷データ情報を追加する追加印刷データ情報追加ステップと、前記追加印刷データ情報追加ステップで追加した前記追加印刷データ情報を含む印刷要求を前記印刷制御サーバに送信する印刷要求送信ステップとを実行することを特徴とする印刷装置における印刷制御方法である。
【手続補正１５】
【補正対象書類名】明細書
【補正対象項目名】００２０
【補正方法】変更
【補正の内容】
【００２０】
第７の発明は、印刷可能なユーザのユーザ識別情報と対応付く印刷データを一意に示す印刷データ情報を管理する印刷制御サーバと、前記印刷データの印刷を行う印刷装置とがネットワークを介して通信可能な印刷制御システムで実行可能なプログラムであって、前記印刷制御サーバを、前記印刷装置からユーザ識別情報を受信するユーザ識別情報受信手段と、前記ユーザ識別情報受信手段で受信した前記ユーザ識別情報に対応する印刷データの印刷データ情報の一覧情報を前記印刷装置に送信する一覧情報送信手段と、前記印刷装置から、当該印刷装置で新たに追加された前記一覧情報にない追加印刷データ情報を含む印刷要求を受信する印刷要求受信手段と、前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、前記印刷データ特定手段で特定された印刷データと前記追加印刷データ情報とを対応付ける対応付手段と、前記印刷データ特定手段で特定した印刷データを前記追加された追加印刷データ情報の印刷データとして前記印刷装置に出力すべく指示する印刷データ出力指示手段として機能させ、前記印刷装置を、入力されたユーザ識別情報を前記印刷制御サーバに送信するユーザ識別情報送信手段と、前記印刷制御サーバから受信した印刷データ情報を含む一覧情報を表示する一覧情報表示手段と、前記一覧情報に含まれない印刷データを追加印刷するための追加印刷データ情報を追加する追加印刷データ情報追加手段と、前記追加印刷データ情報追加手段で追加した前記追加印刷データ情報を含む印刷要求を前記印刷制御サーバに送信する印刷要求送信手段として機能させることを特徴とするプログラムである。
【手続補正１６】
【補正対象書類名】明細書
【補正対象項目名】００２１
【補正方法】変更
【補正の内容】
【００２１】
第８の発明は、印刷データの印刷を行う印刷装置とネットワークを介して通信可能であり、印刷可能なユーザのユーザ識別情報と対応付く印刷データを一意に示す印刷データ情報を管理する印刷制御サーバで実行可能なプログラムであって、前記印刷制御サーバを前記印刷装置からユーザ識別情報を受信するユーザ識別情報受信手段と、前記ユーザ識別情報受信手段で受信した前記ユーザ識別情報に対応する印刷データの印刷データ情報の一覧情報を前記印刷装置に送信する一覧情報送信手段と、前記印刷装置から、当該印刷装置で新たに追加された前記一覧情報にない追加印刷データ情報を含む印刷要求を受信する印刷要求受信手段と、前記印刷要求受信手段で前記追加印刷データ情報が含まれた印刷要求が受信された場合に、前記一覧情報送信手段により一覧情報が送信された後に当該印刷制御サーバで管理された前記ユーザ識別情報に対応する印刷データの印刷データ情報を特定する印刷データ特定手段と、前記印刷データ特定手段で特定された印刷データと前記追加印刷データ情報とを対応付ける対応付手段と、前記印刷データ特定手段で特定した印刷データを前記追加された追加印刷データ情報の印刷データとして前記印刷装置に出力すべく指示する印刷データ出力手段として機能させることを特徴とするプログラムである。
【手続補正１７】
【補正対象書類名】明細書
【補正対象項目名】００２２
【補正方法】変更
【補正の内容】
【００２２】
第９の発明は、印刷可能なユーザのユーザ識別情報と対応付く印刷データを一意に示す印刷データ情報を管理する印刷制御サーバとネットワークを介して通信可能な印刷装置で実行可能なプログラムであって、前記印刷装置を、入力されたユーザ識別情報を前記印刷制御サーバに送信するユーザ識別情報送信手段と、前記印刷制御サーバから受信した印刷データ情報を含む一覧情報を表示する一覧情報表示手段と、前記一覧情報に含まれない印刷データを追加印刷するための追加印刷データ情報を追加する追加印刷データ情報追加手段と、前記追加印刷データ情報追加手段で追加した前記追加印刷データ情報を含む印刷要求を前記印刷制御サーバに送信する印刷要求送信手段として機能させることを特徴とするプログラムである。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】